(57)【要約】      （修正有）【課題】高跳び競技用のバーの受部支持台に関するものであって、バーの位置を何回も調整しなければならない学校等での使用の場合、その都度ボルトを緩めたり締めたりと煩雑な作業が求められていたので、固定方法を簡便に行えるようにするとともに、その固定も強固に行えるようにするものである。【解決手段】二片の部材を合わせて一体的に形成され、中央部には支柱Ｃ挿通用の孔を有し、片端には平坦状を呈するバー載置用の受部を備え、他端部にはグリップ用の孔が設けられたバー支持具Ａと、本体の略中央部には、支柱Ｃ挿通用の孔が貫設され、片端下方には発条１３を備え、他端部末端にはグリップ１６を一体的に取り付け、この取り付け部と前記孔との間に、下方に発条１７を介装したピン１５を挿通設したスライド金具Ｂとから構成され、スライド金具Ｂをバー支持具Ａに収め、支柱Ｃに上下動自在に取付けることを特徴としている高跳び競技用バー支柱。【選択図】図４
2006087859.tif 000002
【特許請求の範囲】
【請求項１】
ａとａ′二片の部材を合わせて一体的に形成され、中央部１には支柱Ｃ挿通用の孔３を有し、片端には平坦状を呈するバー載置用の受部２を備え、他端部にはグリップ用の孔４が設けられたバー支持具Ａと、
本体１１の略中央部には、支柱Ｃ挿通用の孔１２が貫設され、片端下方には発条１３備え、他端部末端にはグリップ１６を一体的に取り付け、この取り付け部と前記孔１２との間に、下方に発条１７を介装したピン１５を挿通設したスライド金具Ｂとから構成されたことを特徴とする高跳び競技用バー支柱。
【請求項２】
スライド金具Ｂを、ａとａ′の二片の部材を合わせて一体的に形成されたバー支持具Ａに収め、支柱Ｃに上下動自在に取付けられる請求項１記載の高跳び競技用バー支柱。
【発明の詳細な説明】
【技術分野】
【０００１】  本発明は、陸上競技の高跳び競技に用いられるバー支柱に関するものであって、バーを所望の位置に固定するバー受部支持台の移動が簡便に行え、且つその固定が強固な支柱を提供するものである。
【背景技術】
【０００２】  一般的な高跳び競技用バー支柱は、図５に示したように、台座２０に下管２１を着脱自在に植設して、この下管に、バー２６の支持具２５を、締め具２６で固定する手段を取付けた上管２３を上下動自在に嵌挿し、該上管２３を所望位置にボルト等の締め具２４で固定するものであった。
【発明が解決しようとする課題】
【０００３】  したがって、これら従来品におけるバー支持具の固定方法は、ボルト等の点によるものであったため、例えば、競技者が跳躍に失敗して支柱を倒したりすると、固定が外れたり或いは緩んだりすることがしばしばであった。その上、バーの位置を何回も何回も上下して調整しなければならない学校等での使用の場合、その都度ボルトを緩めたり締めたりと、煩雑な作業が求められていた。
そこで発明者らは、先にバー支持具の固定方法に工夫を施し、その固定を簡便に行えるようにするとともに、固定方法を点による方法から、固定強度が向上する面での方法に替え、強固に行えるようにするものを発明した。
加えて、先の発明に更なる工夫を凝らし、その固定強度を低下させること無く、より安価で且つ簡便なものを提供するものである。
【課題を解決するための手段】
【０００４】  本発明は前記目的を達成するため、ａとａ′二片の部材を合わせて一体的に形成され、中央部１には支柱Ｃ挿通用の孔３を有し、片端には平坦状を呈するバー載置用の受部２を備え、他端部にはグリップ用の孔４が設けられたバー支持具Ａと、本体１１の略中央部には、支柱Ｃ挿通用の孔１２が貫設され、片端下方には発条１３備え、他端部末端にはグリップ１６を一体的に取り付け、この取付け部と前記孔１２との間に、下方に発条１７を介装したピン１５を挿通設したスライド金具Ｂとから構成し、スライド金具Ｂを、ａとａ′の二片の部材を合わせて一体的に形成されたバー支持具Ａに収め、支柱Ｃに上下動自在に取付けて課題解決の手段としている。
【発明を実施するための最良の形態】
【０００５】  本発明実施の形態を実施例に基づき、図面を参照して説明する。
本発明は主要な二つの部材で構成されていて、
図１並びに図２は、その主要部材の一つであるバー支持具Ａを示し、該支持具Ａは、後記説明のもう一つの主要部材であるスライド金具Ｂのカバー体をも兼ねるもので、ａとａ′の二片の部材を合わせて一体的に形成されていて、その中央部１には支柱Ｃ挿通用の孔３を有し、片端には平坦状を呈するバー載置用の受部２を備え、他端部には後記説明のグリップ用の孔４が設けられている。【０００６】  図３及び図４は、本発明を構成する主要部材のもう一つの部材である１片で形成されるスライド金具Ｂが、カバー体を兼ねた前記説明のバー支持具Ａに収められ、支柱Ｃに上下動自在に取付けられた状態を示している。
尚、図中、バー支持具Ａを形成している二片の内、１片ａ′を取外した状態で説明している。【０００７】  スライド金具Ｂの略中央部には、支柱Ｃ挿通用の孔１２が貫設され、片端下方には発条１３備え、他端の折り曲げ部１４の末端上方にはグリップ１６を一体的に取り付け、この取付け部と前記孔１２との間の下方に、発条１７を介装したピン１５を挿通設している。
この金具Ｂがバー支持具Ａに収められたとき、グリップ１２のみがバー支持具Ａ端部の孔４から露出している。【０００８】  バー支持具Ａ内に収まったスライド金具Ｂは、片端の先端部は、切欠溝５に嵌合されていて、他端部下方には発条１７がピン１５に介装して設けられているので、常時肩上がり状態を呈して支柱Ｃに固定されている。
即ち、支柱Ｃに自在鉤の状態を成していて、その固定状態は従来品に比し極めて強固なものとなっている。【０００９】  本発明において、バーを所望する位置に固定する時は、グリップ１６を図３で矢印に示した方向に下げれば、スライド金具Ｂの肩上がり状態が変化して、数字の一字状態となり、支柱Ｃとの固定状態が解かれるので、バー支持具は図中矢印で示したように上下動自在となる。
また、所望する位置に移動したバー支持具の固定方法は、移動するとき押していたグリップ１６を所望する位置で離せば、発条１７の反発力で瞬時に前記説明の肩上がり状態を成し固定される。
【発明の効果】
【００１０】  本発明は以上説明のように、バー支持具Ａとスライド金具Ｂとの主要な二つの要素から構成されていて、バー支持具Ａは、ａとａ′との二つの部材から形成され、この二片は合体されて一体的を成し、片端部にバー受部を備え、中央部にはスライド金具Ｂの片端部の先端が嵌合される切欠溝と支柱Ｃ用の孔を、他端部にはグリップ用の孔を有している。
【００１１】  スライド金具Ｂは一片で形成され、略中央部に支柱Ｃ用の孔を有するとともに、片端部下方には発条を、他方先端にはグリップ１２が設けられ、下方にはピンに介装した発条を備えていて、前記要素のバー支持具Ａに収められて支柱Ｃに上下動自在に設けられる。
【００１２】  したがって本発明によれば、スライド金具Ｂは自在鉤の如く支柱Ｃに対し肩上がり状態を呈して取付けられるので、その固定は強固で、競技者の跳躍の失敗でバー支持具の固定位置が移動するなどとゆうことが発生しない。
一方、バーの位置を変更す場合は、グリップ上から押ぜば、スライド金具の固定状態は変化して、横直状態となって固定状態は開放され、上下動自在となるので所望位置に移動することができる。
所望位置に移動されたバー支持具は、上から押していたグリップを離せば、スライド金具は瞬時に先の肩上がり形状を呈して支柱Ｃに固定される。
このように、固定の強固なこと、バーの位置変更が容易なこと、位置を変更した後の固定が瞬時に且つ移動前と変わらず強固に行えること等、従来品では到底得られなかった数々の効果が得られる。
尚、先の発明にあっては、スライド金具を二片で形成し、片仮名のハ字状態で支柱に固定するものであったが、スライド金具は一片のみの肩上がり状態でもその固定は十分である事が確認されている。
【図面の簡単な説明】
【図１】本発明を構成する主要な要素の１つであるバー支持具を示す図である。
【図２】図１の側面図である。
【図３】 
【図４】本発明を構成する主要な要素のスライド金具を示す図であって、バー支持具にスライド金具を収め、バー支持具の内、Ｉ片を外した状態で支柱との上下動の作動を説明する図である。
【図５】代表的な従来品を説明する図である。
【符号の説明】
Ａバー支持具
１中央部      ２受部      ３支柱用孔      ４グリップ用孔      ５切欠溝
Ｂスライド金具
１１本体      １２支柱用孔      １３発条      １４折り曲げ部
１５ピン      １６グリップ      １７発条
【図１】
2006087859.tif 000003
【図２】
2006087859.tif 000004
【図３】
2006087859.tif 000005
【図４】
2006087859.tif 000006
【図５】
2006087859.tif 000007